(57)【要約】【課題】生カードの情報記憶部にある特定情報を基に、簡易に種類の異なる装置に関係なく良好な画像が形成できるカード作成方法を提供する。【解決手段】読み出し・書き込み可能な情報記憶部を有する生カードを用い前記生カードの表面又は裏面に画像を形成してカードを作成するカード作成方法において、前記生カードの前記情報記憶部に書き込まれた情報のうち少なくとも１つの特定情報を読み出し、読み出された前記特定情報に基づき予め準備された画像形成条件より前記生カードに対応する画像形成条件を選択し、選択された画像形成条件により画像を形成することを特徴とするカード作成方法。【選択図】        図４
2004262008.tif 000002
【特許請求の範囲】
【請求項１】
読み出し・書き込み可能な情報記憶部を有する生カードを用い前記生カードの表面又は裏面に画像を形成してカードを作成するカード作成方法において、
前記生カードの前記情報記憶部に書き込まれた情報のうち少なくとも１つの特定情報を読み出し、
読み出された前記特定情報に基づき予め準備された画像形成条件より前記生カードに対応する画像形成条件を選択し、
選択された画像形成条件により画像を形成することを特徴とするカード作成方法。
【請求項２】
読み出し・書き込み可能な情報記憶部を有する生カードを用い前記生カードの表面又は裏面に画像を形成してカードを作成するカード作成システムにおいて、
前記生カードの前記情報記憶部に書き込まれた情報のうち少なくとも１つの特定情報を読み出す特定情報読出手段と、
読み出された特定情報に基づき予め準備された画像形成条件より前記生カードに対応する画像形成条件を選択する選択部と、
選択された画像形成条件により画像を形成する画像形成処理手段と、
を備えたことを特徴とするカード作成システム。
【請求項３】
前記特定情報は、少なくとも生カードの製造メーカー、商品コード、製造ロット、製造番号の１つであることを特徴とする請求項２に記載のカード作成システム。
【請求項４】
前記画像は、少なくとも顔画像、文字、数字、記号または図形の１つであることを特徴とする請求項２または３に記載のカード作成システム。
【請求項５】
前記請求項２、３または４に記載のカード作成システムにより作成されてなることを特徴とするカード。
【発明の詳細な説明】
【０００１】
【発明の属する技術分野】
本発明はカード作成方法、カード作成システム及びカードに関し、特にＩＣチップや磁気ストライプの情報記憶部を有する印刷前のカードである生カード（カードということもある）に、高品質の画像が形成可能なカード作成方法、カード作成システム及び前記カード作成システムにより製造されたカードに関する。
【０００２】
【従来の技術】
近年、カード内部に不揮発性のデータメモリとそれを制御するＣＰＵ（セントラル・プロセッシング・ユニット）を有するＩＣチップを内蔵したＩＣカードを用いたカードの作成が行われ、ＩＣチップの情報記憶部に種々の情報を記憶し記憶情報をいろいろな用途に活用することのできるカードが登場している。また、同様に、種々の情報を磁気ストライプの情報記憶部に記憶しい記憶情報をいろいろな用途に活用することのできる磁気ストライプ付きのカードも登場している。
【０００３】
このような生カードの段階で、前述の情報記憶部に生カードの表面に画像を形成する際の画像印刷条件情報、加熱処理条件情報等を書き込み、画像を形成する際に、この書き込まれた情報を読み出して、画像の形成を行うカード作成方法が特開２００２−２６９５２７号公報（以下特許文献１）に開示されている。
【０００４】
【特許文献１】
特開２００２−２６９５２７号公報
【０００５】
【発明が解決しようとする課題】
しかしながら、生カードの情報記憶部に印刷処理情報を書き込む記載はあるものの、カードの作成装置に適した具体的な印刷条件といった内容に関する技術開示がなされてない。
【０００６】
また、生カードに画像を形成させる装置は１種類に限定されるものではなく、多くの種類の異なる装置が考えられ、さらに改良等により種類が増えてくる可能性が有る。これらの種類の異なる装置にはそれぞれ画像印刷条件や加熱処理条件が異なる。例えば、種類の異なる装置間で、転写圧の違い、加熱温度の違いが有り、さらに、使用するリボンの製造ロットによっても印刷条件の違いがある。
【０００７】
従って、前述の生カードの情報記憶部に、種類の異なる装置のそれぞれの画像印刷条件や加熱処理条件等の画像を形成させるための画像形成条件をすべて記憶させようとすると、大きな記憶容量を必要し、特に、カードの表面に顔画像を形成させるカードにおいては、カードに表示されている顔画像からそのカードの本人を認証することが可能なように、高度な色再現性や階調性といった良好な画質を安定して作成できることが要求され、画像を形成させるための印刷条件等の数も多くなり、大きな記憶容量を必要とするが、生カードの情報記憶部の記憶容量はそれほど大きくないので問題である。
【０００８】
また、種類の異なる装置のそれぞれの画像形成条件の追加や変更があると、生カードの情報記憶部の内容も変更する必要が生じ、生カードの管理が難しくなり情報記憶部の記憶内容に関するミスも発生しやすくなるという問題がある。
【０００９】
さらに、生カードの情報記憶部に画像を形成させるための条件等を多く記憶させると、この記憶情報を基にカードの偽造がされやすくなりセキュリティー上の問題がある。
【００１０】
本発明は上記の課題に鑑みなされたもので、本発明の目的は、生カードの情報記憶部にある特定情報を基に、簡易に種類の異なる装置に関係なく良好な画像が形成できるカード作成方法を提供することにある。また、前記カード作成方法に基づくカード作成システム、さらに、前記カード作成システムにより作成されたカードを提供することにある。
【００１１】
【課題を解決するための手段】
上記の発明の目的は下記の手段のいずれかにより達成される。
【００１２】
（１）読み出し・書き込み可能な情報記憶部を有する生カードを用い前記生カードの表面又は裏面に画像を形成してカードを作成するカード作成方法において、前記生カードの前記情報記憶部に書き込まれた情報のうち少なくとも１つの特定情報を読み出し、読み出された前記特定情報に基づき予め準備された画像形成条件より前記生カードに対応する画像形成条件を選択し、選択された画像形成条件により画像を形成することを特徴とするカード作成方法。
【００１３】
（２）読み出し・書き込み可能な情報記憶部を有する生カードを用い前記生カードの表面又は裏面に画像を形成してカードを作成するカード作成システムにおいて、前記生カードの前記情報記憶部に書き込まれた情報のうち少なくとも１つの特定情報を読み出す特定情報読出手段と、読み出された特定情報に基づき予め準備された画像形成条件より前記生カードに対応する画像形成条件を選択する選択部と、選択された画像形成条件により画像を形成する画像形成処理手段と、を備えたことを特徴とするカード作成システム。
【００１４】
（３）前記（２）に記載のカード作成システムにより作成されてなることを特徴とするカード。
【００１５】
ここで、本発明で使用する用語の意味について説明する。「製造メーカー」とは、生カードを製造したメーカー名をいう。また、「商品コード」とは、対象商品を特定するために付けられたコードで、商品コードは、例えば数字のみ、英字と数字で表される。また、「製造ロット」とは、同一の仕様および手法のもとで製造されたまとまりで、製造ロットは例えば数字で表される。さらに、「製造番号」とは製造された物にそれぞれ付けられた番号等をいう。
【００１６】
【発明の実施の形態】
以下、本発明の一実施形態に係わるカード作成方法、カード作成システムおよびカードについて説明する。
【００１７】
先ず、実施の形態に用いるカードについて説明する。カードは情報記憶部を有し、カードとしてはＩＣカードおよび磁気カード等がある。ＩＣカードは一般的に接触型カードと非接触型カードとがあるが、ここではその両者を含むものとする。一方、磁気カードは一般的に磁気ストライプタイプカードと磁気全面カードとあるがその両者を含むものとする。
【００１８】
前記情報記憶部は、データを読出し・書き込み可能に構成されている。ＩＣカードにあっては、カード本体の内部または表面の一部に埋め込まれたＩＣチップがこれに相当し、磁気ストライプカードにあっては、カード本体の表面の一部に帯状に積層した磁気記録可能な磁気ストライプがこれに相当し、磁気カード全面カードにあっては、カード本体の裏面に一様に積層した磁気記録可能な磁性層の一部がこれに相当する。また、前述の情報記憶部には、生カードの段階においては、リードライタ等により生カードの製造メーカー、商品コード、製造ロット等が記憶されている。なお、以下の説明では、代表例として、非接触型のＩＣカードについて説明するがこれに限定されるものではない。
【００１９】
次に、本発明のカード作成システムにより作成されたカードについて説明する。図１は実施の形態のカードの平面図であり、図２はカードの積層構造を示す分解斜視図である。図１に示すように、カード９０は従業員証用のカードである。カード９０は、例えば、縦の長さが約６ｃｍ、横の長さが約９ｃｍ、厚みが約０．５〜１．０ｍｍである。カード９０の所定領域Ｐ１には画像表示情報が印刷される。画像表示情報は、例えば「○○○従業者証」、「個人製造番号」、「氏名」、「発行日」・・・などである。また、所定領域Ｐ２には顔画像が印刷される。さらにカード９０の所定位置には従業者証所有者の個人識別番号ＩＤが記録される。前述の所定領域Ｐ２にはカード９０の発行者の顔画像が形成される。この顔画像及び画像表示情報を保護するように、そのカード表面が保護シート９６によって覆われている。
【００２０】
次に、図２に示すように、カード９０は上層の保護シート９６（図１）及び中層の接着部材９２、９４を除いて、大きく分けると裏面シート９５と、電子部品９３と、表面シート９１の３層構造を有している。裏面シート９５は約５０μｍ〜３００μｍのシート厚が好ましい。裏面シート９５は筆記用具で書ける図示しない筆記層を更に有している。裏面シート９５の上にはカード用の電子部品９３が設けられる。電子部品９３はカード９０の利用者に関した個人情報が書き込まれるＩＣチップ９３１及びそのＩＣチップ９３１に接続されたコイル状のアンテナ本体９３２である。また、ＩＣチップ９３１には情報記憶部９３３が設けられている。この情報記憶部９３３には、生カードの段階においては、生カードの製造メーカー、商品コード、製造ロット等が記憶される。例えば製造メーカーの情報を基にカード作成システムでの最適な画像形成を得るために活用される。
【００２１】
このカード９０は、裏面シート９５と表面シート９１と電子部品９３とを薄シート状の接着部材（以下単に接着シートともいう）９２、９４を介在して貼り合せた積層構造を有している。例えば、厚みが約５０μｍ〜３００μｍの第１の接着シート９４によってＩＣチップ９３１の裏面と裏面シート９５との間が貼合され、ＩＣチップ９３１の表面と表面シート９１の間は、厚みが約５０μｍ〜３００μｍの第２の接着シート９２によって貼合されている。これらの接着シート９４、９２にはホットメルト樹脂又は反応型ホットメルト樹脂を予め薄シート状に形成したものが使用される。
【００２２】
（実施の形態１）
次に、実施の形態１に係わるカード作成システム、カード作成方法、及びカードについて説明する。図３は実施の形態１のカード作成システムの構成を示す図、図４は実施の形態１に係わるカード作成システムの部分説明図である。
【００２３】
この実施の形態１に係わるカード作成システムは従業者証作成のためのシステムで、顔画像データ及び文字情報を外部装置に記憶した後に、この顔画像データ及び文字情報に基づいて、所定のカード面に顔画像及び文字情報を形成するものである。
【００２４】
実施の形態１で使用する生カード９０Ａ、９０Ｂ、９０Ｃには情報記憶部９３３（図２）に製造メーカー、商品コード、製造ロット等が書き込まれている。最初に、カード作成システムの構成について説明する。図３に示すように、カード作成システム１０は、筐体１５、載置手段２５、特定情報読出手段３０、画像形成処理手段４５０、個別情報書込手段７０および電気関係ブロック８０等で構成されている。
【００２５】
筐体１５はカード作成システム１０の筐体で、所定形状で所定の大きさを有している。また、載置手段２５は筐体１５の内部右側にカードマガジン２６が設けられ、３種類の生カードが収納できるようになっており、各々の生カードは予め枚葉状にカットされている。
【００２６】
第１種類の生カード９０ＡはホッパーＨＰ１に収納されており、第２種類のカード９０ＢはホッパーＨＰ２に収納されており、さらに第３種類の生カード９０ＣはホッパーＨＰ３にそれぞれ収納されている。なお、複数種類の生カードがあるのは発行者の発行条件によって生カードの種類を変えるためである。なお、この実施の形態では３個のホッパー（ＨＰ１〜ＨＰ３）を設けた例を示したが、少なくとも１個のホッパーが設けられていればよい。
【００２７】
ホッパーＨＰ１〜ＨＰ３の下方には図示しない搬送ベルト装置が設けられ、ホッパーＨＰ１、ＨＰ２又はＨＰ３から排出・投下された生カード９０（９０Ａ、９０Ｂ、９０Ｃ）を特定情報読出手段３０の方へ搬送する。
【００２８】
特定情報読出手段３０は、生カード９０の情報記憶部９３３（図２）に書き込まれた製造メーカー、商品コード、製造ロット等の情報のうち、この生カードに画像を形成するに必要な情報（特定情報）として製造メーカー、商品コード、製造ロットを読み出すようになっている。この特定情報を基に、この生カードに対応した予め準備されている画像を形成させるための条件を抽出するが詳しくは後述する。また、特定情報読出手段３０の下方には廃棄カードストッカー７９が設けられ、電子部品不良等に係る生カード９０を排出する。
【００２９】
特定情報読出手段３０の下流側には搬送手段の搬送ローラ７１等が設けられ、生カード９０を画像形成処理手段４５０の方へ搬送する。この画像形成処理手段４５０の下部には搬送手段である搬送ベルト７２が設けられ、例えば、画像形成処理手段４５０を構成するイエロー色用の画像形成ユニット４５（以下でＹ色画像形成ユニットという）、マゼンタ色用の画像形成ユニット５０（以下でＭ色画像形成ユニットという）、シアン色用の画像形成ユニット５５（以下でＣ色画像形成ユニットという）、下地処理のＰ色画像形成ユニット、及び白黒用の画像形成ユニット６０（以下でＫ色画像形成ユニットという）に生カード９０を搬送する。
【００３０】
画像形成処理手段４５０は、特定情報を基に抽出されたこの生カードに対応した画像を処理する条件により生カード９０（９０Ａ、９０Ｂ、９０Ｃ）に画像を形成する。
【００３１】
搬送ベルト７２上のカード９０は図３で右側から左側に搬送される間に、Ｙ色画像形成ユニット４５、Ｍ色画像形成ユニット５０及びＣ色画像形成ユニット５５によってカード９０の画像形成領域に顔画像が形成される。例えば、Ｙ色画像形成ユニットでは搬送ベルト７２によって搬送される生カード９０にイエロー顔画像（Ｙ色顔画像）を形成する。同様にしてＭ色画像形成ユニットでは搬送ベルト７２によって搬送される生カード９０にマゼンタ顔画像（Ｍ色顔画像）を形成する。更にＣ色画像形成ユニットでは搬送ベルト７２によって搬送される生カード９０にシアン顔画像（Ｃ色顔画像）を形成する。
【００３２】
このＣ色画像形成ユニットの下流側に設けられたＰ色画像形成ユニットでは文字印刷に伴う下地処理がなされる。このＰ色画像形成ユニットの下流側に設けられたＫ色画像形成ユニットでは、カラー顔画像を形成された生カード９０の所定領域に発行者名や従業員証発行日などの文字情報を形成する。
【００３３】
各々のユニットには図示しない複数画面分のバッファメモリが設けられ、発行者の顔画像データや文字情報が格納される。また、これらのユニット内にはインクリボンやサーマルヘッドなどが備えられる。
【００３４】
次に、個別情報書込手段７０では、カード９０の情報記憶部９３３に個別情報を書き込む。この搬送ベルト７２の下流側にはカード落下部７３が設けられ、情報記憶及び画像形成済みのカード９０の顔画像形成領域面を上に向けて落下するように姿勢が制御され、そのカード９０が下方のラミネート貼着装置ＨＳ１に導かれる。
【００３５】
ラミネート貼着装置ＨＳ１ではカード９０にフィルム状の保護シート９６（図１）が供給されてカード面が保護される。この例で保護シート９６にはラミネートフィルムをロール状に巻き取ったものが備えられ、そのラミネートフィルムは一方の面に図示しない接着シートを有している。
【００３６】
ラミネート貼着装置ＨＳ１には加熱装置７４が設けられ、カード落下部７３からのカード９０と保護シート９６とを受け、そのカード９０とその保護シート９６とが図示しない接着シートを介して張り合わされる。この加熱装置７４は搬送路上に配置された平型のプレス部を有しており、保護シート９６の上方から所定の圧力が加えられる。そのために、プレス部が上下方向に移動できるようになされている。このプレス部には電気ヒータ（図示せず）が設けられ、保護シート９６及びカード９０を所定の温度に加熱するようになっている。
【００３７】
この例では接着シートの種類にもよるが加熱温度は、例えば約４０℃〜１７０℃であり、加熱時間は約１０秒〜１２０秒である。この接着シートは熱を加えると溶融し、それが冷えると固化するものである。
【００３８】
また、加熱装置７４の下流側には冷却部７５が設けられ、加熱貼合されたカード９０が冷却される。冷却部７５にはメインフィルタ７６が取り付けられており、このメインフィルタ７６によって冷却空気を清浄化する。
【００３９】
ラミネート貼着装置ＨＳ１の後段にホットスタンプＨＳ２を設け、カード９０にホログラムシート等を形成するようにしてもよい。これにより完成したカード９０はカードスタッカ７７に収納される。
【００４０】
また、筐体１５には操作パネル７８が設けられ、カード９０の画像形成時に操作情報が入力される。また、この筐体１５内には、電気関係ブロック８０が設けられている。
【００４１】
図３に示す電気関係ブロック８０は、入力部、特定情報読出部、画像形成処理部、加熱部、個別情報書込部、ラミネート貼着部、搬送部、駆動部、制御部等を有している。入力部は外部装置から画像形成を行うための画像データを読み込むと共に、操作パネル７８より操作情報等が入力できるようになっており、特定情報読出部は特定情報読出手段３０を有してカードの情報記憶部９３３に予め記憶されている製造メーカー、商品コード、製造ロットの特定情報を読み出す。また、画像形成処理部は画像形成処理手段４５０を有してカードに画像を形成させ、加熱部は加熱装置７４を有して画像形成後のカードを加熱処理する。また、個別情報書込部は個別情報書込手段７０を有してカードの情報記憶部に個別情報を記憶し、ラミネート貼着部はラミネート貼着装置ＨＳ１を有してラミネートフィルムの貼着処理を行う。搬送部は搬送ロータ、搬送ベルト等を有して、カードを上記の各部への送り、駆動部は各種ドライバーを有する。制御部は各部を制御する機能を有し、後述する図４に示す選択部４０Ａを有する。選択部４０Ａは特定情報に基づき予め準備された画像形成条件より生カードに対応した画像形成条件を抽出する機能を有している。詳しくは、選択部４０Ａは選択テーブル８１４、画像形成条件表８１６で構成され、選択テーブル８１４では、製造メーカー、商品コード、製造ロットの３つの情報（特定情報）より使用する生カードに対応した画像形成条件が抽出できるようになっている。使用する生カードに対応した画像形成条件は予め実験等により求めて記憶させておく。画像形成条件表８１６では選択テーブル８１４で抽出した画像形成条件の具体的な内容が書かれている。また、制御部はＣＰＵ、ＲＯＭ、ＲＡＭ、Ｉ／Ｏ制御部を備えている。ＲＯＭは制御プログラム領域、制御データ領域を有し、制御データ領域は画像形成条件表８１６（図４）などの画像形成するための制御データ等を記憶し、また、制御プログラム領域はＣＰＵで処理する制御プログラムを記憶する。ＲＡＭは、各種レジスタ群の他、外部から入力した画像データを一時的に記憶する画像形成データ領域、読みとられた製造メーカー、商品コード、製造ロット等を一時的に記憶する記憶データ領域がある。また、Ｉ／Ｏ制御部はインターフェース信号を取り扱うための制御回路が組み込まれている。ＣＰＵは、上記の構成により、ＲＯＭ内の制御プログラムにしたがって、Ｉ／Ｏ制御部を介して各種検出信号、各種指令、各種データ等を入力し、ＲＡＭ内で処理した後に、Ｉ／Ｏ制御部を介して駆動部に制御信号を出力することにより、画像形成処理手段、加熱手段等を制御して所定の画像形成条件でカードに画像形成を行う。さらにラミネート貼着装置ＨＳ１を制御してラミネートフィルムの貼着行うなどカード作成システムを全体を制御する。
【００４２】
ここで、実施の形態１のカード作成システムにより本発明のカード作成方法を図１から図４を参照して説明する。なお、図４は実施の形態１に係わるカード作成システムの部分説明図である。
【００４３】
最初に、生カードの製造メーカー、商品コード、製造ロット毎に、それぞれ、このカード作成システムおける良好な画像が得られる最適な画像を処理するための印刷条件、熱処理条件等を予め実験等により求め、この求めた条件を制御データ領域にある選択部４０Ａに記憶させておく。
【００４４】
カード９０Ａを例にして説明すると、図４に示すように、生カード９０Ａは生カード９０Ａ１から生カード９０Ａ３の３種類があるが、ここでは生カード９０Ａ１を代表例として説明する。最初に、生カード９０Ａ１に設けられたＩＣチップ内の情報記憶部９３３に書き込まれた製造メーカー、商品コード、製造ロット等の中より特定情報である製造メーカー、商品コード、製造ロットを読み出す。ここで、選択部４０Ａにおいて、選択テーブル８１４で、製造メーカー、商品コード、製造ロットの３つの情報（特定情報）より生カードに対応した画像形成条件を抽出する。選択テーブル８１４で抽出した画像形成条件の具体的な内容が画像形成条件表８１６では分かるようになっている。
【００４５】
以上のように、本発明のカード作成方法、カード作成システムによれば、生カードの情報記憶部に記憶されている情報のうち、特定情報を読み取り、この特定情報を基に、簡易に種類の異なる装置に関係なく良好な画像を形成させることができる。また、このカード作成システムにより作成された良好なカードとなる。
【００４６】
（実施の形態２）
次に、実施の形態２に係わるカード作成システム、カード作成方法、及びカードについて説明する。この実施の形態２は前述の実施の形態１と機構的に類似しているので異なる部分を中心に説明する。
【００４７】
図５は実施の形態２のカード作成システムの構成を示す図、図６は実施の形態２に係わるカード作成システムの部分説明図である。
【００４８】
この実施の形態２に係わるカード作成システムは従業者証作成のためのシステムで、顔画像データ及び文字情報を外部装置に記憶した後に、この顔画像データ及び文字情報に基づいて、所定のカードの表面に顔画像及び文字情報を形成するものである。
【００４９】
実施の形態２で使用する生カードには情報記憶部９３３（図２）に製造メーカー、商品コード、製造ロット等が書き込まれている。最初に、カード作成システムの構成について説明する。図５に示すように、カード作成システム１０は、筐体１５、載置手段２５、特定情報読出手段３５、画像形成処理手段４５０、個別情報書込手段７０、電気関係ブロック８０等で構成されている。
【００５０】
ホッパーＨＰ１〜ＨＰ３の下方には図示しない搬送ベルト装置が設けられ、ホッパーＨＰ１、ＨＰ２又はＨＰ３から排出・投下されたカード９０を特定情報読出手段３５の方へ搬送する。
【００５１】
特定情報読出手段３５は、生カード９０の情報記憶部９３３（図２）に書き込まれた製造メーカー、商品コード、製造ロット、その他の情報のうち、この生カードを識別するのに必要な特定情報として製造メーカー、商品コード、製造ロットを読み出すようになっている。この特定情報を基にこの生カードに対応した予め準備されている画像の形成を得るための条件を抽出する。また、この特定情報読出手段３５は、カード９０の情報記憶部９３３に、前述の抽出した内容も個別情報と同時に書き込むようになっている。このことにより画像を形成した条件が記録に残るようになる。
【００５２】
次に、図５に示す電気関係ブロック８０は、入力部、読出書込部、画像形成処理部、加熱部、ラミネート貼着部、搬送部、駆動部、制御部等を有している。図３と異なる部分を説明すると、読出書込部は特定情報読出手段３５を有して生カードの情報記憶部９３３に予め記憶されている製造メーカー、商品コード、製造ロットの特定情報を読み出し、さらに、カード９０の情報記憶部９３３に画像形成条件等の抽出した内容や個別情報を書き込むようになっている。また、画像形成処理部は画像形成処理手段４５０を有して生カードに画像を形成させ、加熱部は加熱装置１４を有して画像形成後のカードを加熱処理する。制御部は各部を制御する機能を有し後述する図６に示す選択部４０Ｂを有する。選択部４０Ｂは、特定情報に基づき予め準備された画像形成条件より生カードに対応した画像形成条件を抽出する機能である。また、制御部はＣＰＵ、ＲＯＭ、ＲＡＭ、Ｉ／Ｏ制御部を備えている。ＲＯＭは制御プログラム領域、制御データ領域を有し、制御データ領域は画像形成条件表８１６（図６）などの画像形成するための制御データ等を記憶し、また、制御プログラム領域はＣＰＵで処理する制御プログラムを記憶する。ＲＡＭは、各種レジスタ群の他、外部から入力した画像データを一時的に記憶する画像形成データ領域、読みとられた製造メーカー、商品コード、製造ロット等を一時的に記憶する記憶データ領域がある。ＣＰＵは、上記の構成により、ＲＯＭ内の制御プログラムにしたがって、Ｉ／Ｏ制御部を介して各種検出信号、各種指令、各種データ等を入力し、ＲＡＭ内で処理した後に、Ｉ／Ｏ制御部を介して駆動部に制御信号を出力することにより、画像形成処理手段、加熱手段等を制御して所定の画像形成条件で生カードに画像形成を行う。
【００５３】
ここで、実施の形態２のカード作成システムにより本発明のカード作成方法を図５および図６を参照して説明する。なお、図６は実施の形態２に係わるカード作成システムの部分説明図である。
【００５４】
最初に、生カードの製造メーカー、商品コード、製造ロット毎に、それぞれ、このカード作成システムおいて、良好な画像が得られるための印刷条件、熱処理条件等を予め実験等により求めておく。この求めた条件を、制御データ領域にある選択部４０Ｂに記憶させておく。
【００５５】
カード９０Ｂを例にして説明すると、図６に示すように、カード９０Ｂはカード９０Ｂ１からカード９０Ｂ３の３種類がある。ここではカード９０Ｂ１を代表例として説明する。最初に、カード９０Ｂ１に設けられたＩＣチップ内の情報記憶部９３３に書き込まれた製造メーカー、商品コード、製造ロット、その他の情報より、特定情報である製造メーカー、商品コード、製造ロットを読み出す。この読み出された特定情報に基づき、選択部４０Ｂの選択テーブル８１５で、この特定情報よりこの生カードに対応した画像形成条件を抽出する。なお、選択テーブル８１５で抽出した画像形成条件の具体的な内容が画像形成条件表８１６で分かるようになっている。
【００５６】
以上のように、本発明のカード作成方法、カード作成システムによれば、生カードの情報記憶部に記憶されている情報のうち、特定情報を読み取り、この特定情報を基に、簡易に種類の異なる装置に関係なく良好な画像を形成させることができる。また、このカード作成システムにより作成された良好なカードとなる。
【００５７】
なお、実施の形態では、特定情報として製造メーカー、商品コード、製造ロットの３つの例について説明したがこれに限定されるものでがなく、例えば２、または４つでも可能である。
【００５８】
【発明の効果】
以上のように構成したので次のような効果を奏する。即ち、本発明のカード作成方法、カード作成システムによれば、生カードの情報記憶部に書き込まれた情報のうち少なくとも１つの特定情報を読み出し、読み出された特定情報に基づき予め準備された画像形成条件より前記生カードに対応する画像形成条件を選択し、選択された画像形成条件により画像を形成するので、簡易に種類の異なる装置に関係なく優れた高画質の良好な画像が形成できる。また、本発明のカードによれば、優れた高画質の良好な画像が形成されたカードになる。
【図面の簡単な説明】
【図１】実施の形態のカードの平面図である。
【図２】実施の形態のカードの積層構造を示す分解斜視図である。
【図３】実施の形態１のカード作成システムの構成を示す断面図である。
【図４】実施の形態１に係わるカード作成システムの部分説明図である。
【図５】実施の形態２のカード作成システムの構成を示す断面図である。
【図６】実施の形態２に係わるカード作成システムの部分説明図である。
【符号の説明】
１０  カード形成システム
３０、３５  特定情報読出手段
４０Ａ、４０Ｂ  選択部
４５０  画像形成処理手段
８１４、８１５  選択テーブル
８１６  画像形成条件表
９０、９０Ａ、９０Ｂ、９０Ｃ  生カード（カード）
９３３  情報記憶部
【図１】
2004262008.tif 000003
【図２】
2004262008.tif 000004
【図３】
2004262008.tif 000005
【図４】
2004262008.tif 000006
【図５】
2004262008.tif 000007
【図６】
2004262008.tif 000008